(57)【要約】      （修正有）【課題】落下時の装着者への衝撃を従来よりも緩和することができる安全帯を提供する。【解決手段】装着者の両肩に夫々掛け回される一対の肩帯２，３と、装着者の両腿に夫々巻き回される一対の腿帯４，５とを備える安全帯１であって、肩帯又は腿帯の少なくとも一部分は衝撃吸収部材で構成されている。衝撃吸収部材は、蛇腹形状とされている。肩帯２，３のうち、少なくとも装着者の肩に対応する位置である肩部９は、衝撃吸収部材で構成されている。腿帯４，５のうち、少なくとも装着者の内腿に対応する位置である内腿部１３は、衝撃吸収部材で構成されている。【選択図】図１
2017131405.tif 000002
【特許請求の範囲】
【請求項１】
装着者の両肩に夫々掛け回される一対の肩帯と、
装着者の両腿に夫々巻き回される一対の腿帯とを備える安全帯であって、
肩帯又は腿帯の少なくとも一部分は衝撃吸収部材で構成されていることを特徴とする安全帯。
【請求項２】
請求項１記載の安全帯であって、前記衝撃吸収部材は蛇腹形状であることを特徴とする安全帯。
【請求項３】
請求項１又は請求項２に記載の安全帯であって、
前記衝撃吸収部材は、少なくとも前記肩帯の前記装着者の肩に対応する位置に設けられていることを特徴とする安全帯。
【請求項４】
請求項１から請求項３の何れか１項に記載の安全帯であって、
前記衝撃吸収部材は、少なくとも前記腿帯の前記装着者の内腿に対応する位置に設けられていることを特徴とする安全帯。
【発明の詳細な説明】
【技術分野】
【０００１】
本発明は、人間が高所で作業するときなどに用いられる安全帯に関する。
【背景技術】
【０００２】
従来、高い場所で作業する作業員（装着者）に命綱を付けて装着される所謂フルハーネス型の安全帯であり、装着者の両肩に夫々掛け回される一対の肩帯と、装着者の両腿に夫々巻き回される一対の腿帯とを備えるものが知られている（例えば、特許文献１参照）。
【０００３】
所謂フルハーネス型の安全帯では、装着者の右肩に掛け回される右肩帯は、装着者の左腿に巻き回される左腿帯に連結される。反対に装着者の左肩に掛け回される左肩帯は、装着者の右腿に巻き回される右腿帯に連結される。特許文献１の安全帯は、装着者の背中で両肩帯をＸ字状に交差させるパッドを備える所謂Ｘ型安全帯である。
【０００４】
また、装着者の動き易さを向上させるべく、両腿帯から延びる２つの肩帯を装着者の腰のあたりに設けられた結束具で一度まとめるように重ね合わせて、その後、装着者の背中のあたりに位置する分岐部材を用いて対応する装着者の肩に向かうように肩帯をＹ字状に分岐させる安全帯（Ｙ型安全帯）も知られている（例えば、特許文献２参照）。
【０００５】
分岐部材には、右肩帯を装着者の右肩へ向けて分岐させる第１挿通孔と、左腿帯を装着者の左肩へ向けて分岐させる第２挿通孔とが設けられている。
【先行技術文献】
【特許文献】
【０００６】
【特許文献１】特開２００６−２２３６３９号公報
【特許文献２】特開２０１３−８１５９７号公報
【発明の概要】
【発明が解決しようとする課題】
【０００７】
従来の安全帯は、例えば、装着者が落下して命綱（ランヤード）で宙吊り状態となったときなどに、装着者への衝撃を緩和すべくランヤードに衝撃吸収機能を持たせている。
【０００８】
本発明は、従来よりも、落下時の装着者への衝撃を緩和することができる安全帯を提供することを目的とする。
【課題を解決するための手段】
【０００９】
［１］上記目的を達成するため、本発明は、装着者の両肩に夫々掛け回される一対の肩帯と、装着者の両腿に夫々巻き回される一対の腿帯とを備える安全帯であって、肩帯又は腿帯の少なくとも一部分は衝撃吸収部材で構成されていることを特徴とする。
【００１０】
本発明によれば、例えば、装着者が落下してランヤードで宙吊り状態となったときでも、肩帯又は腿帯の少なくとも一部分に設けられた衝撃吸収部材によって、従来よりも装着者への衝撃を緩和することができる。
【００１１】
［２］また、本発明の衝撃吸収部材は蛇腹形状とすることができる。かかる構成によれば、蛇腹形状の伸び具合によって安全帯の交換時期を目視で確認し易くなる。
【００１２】
［３］また、本発明の衝撃吸収部材は、少なくとも肩帯の装着者の肩に対応する位置に設けられていることが好ましい。かかる構成によれば、宙吊り時に肩帯の比較的負荷のかかり易い部分による装着者への不快感を抑制することができる。
【００１３】
［４］また、本発明の衝撃吸収部材は、少なくとも腿帯の装着者の内腿に対応する位置に設けられていることが好ましい。かかる構成によれば、宙吊り時に腿帯の比較的負荷のかかり易い部分による装着者への不快感を抑制することができる。
【図面の簡単な説明】
【００１４】
【図１】本発明の安全帯の第１実施形態を示す説明図。
【図２】第１実施形態の衝撃吸収部材を示す側面図。
【図３】第１実施形態の衝撃吸収部材を示す平面図。
【図４】本発明の安全帯の衝撃吸収部材の第２実施形態を示す説明図。
【図５】第２実施形態の衝撃吸収部材が衝撃を受けた後の状態を示す説明図。
【図６】本発明の安全帯の衝撃吸収部材の第３実施形態を示す説明図。
【発明を実施するための形態】
【００１５】
図１及び図２を参照して本発明の安全帯の第１実施形態を説明する。図１に示すように、本実施形態の安全帯１は、高い場所で作業する作業員（装着者）に命綱（ランヤード）を付けて装着される所謂フルハーネス型のものであり、装着者の両肩に夫々掛け回される一対の肩帯２，３と、装着者の両腿に夫々巻き回される一対の腿帯４，５と、装着者の腰に巻き回される腰帯６とを備える。
【００１６】
装着者の一方の肩（右肩）に掛け回される右肩帯２の後端は、装着者の他方の腿（左腿）に巻き回される環状の左腿帯４の後部分に接続される。また、右肩帯２の前端は、装着者の一方の腿（右腿）に巻き回される環状の右腿帯５の前部分に接続される。
【００１７】
装着者の他方の肩（左肩）に掛け回される左肩帯３の後端は、装着者の一方の腿（右腿）に巻き回される環状の右腿帯５の後部分に接続される。また、左肩帯３の前端は、装着者の他方の腿（左腿）に巻き回される環状の左腿帯４の前部分に接続される。
【００１８】
一対の肩帯２，３は、下方分岐部材７により装着者の背中で一度束ねられる様に重ね合わせてから、上方分岐部材８を通って、両肩に向かって分かれる。
【００１９】
下方分岐部材７は、主に上方分岐部材８を１８０度回転させたものと同一形状の上方分岐部材８の点対称形状となっている。
【００２０】
装着者の肩に対応する位置の肩帯２，３の部分（図１の肩部９）には、帯の延伸方向に伸縮可能な衝撃吸収部材１０が用いられている。図２に側面から示すように、衝撃吸収部材１０は、蛇腹形状に形成されている。これにより、衝撃吸収部材１０の蛇腹形状が初期状態と比較してどの程度伸びているかを視認することにより、安全帯１の交換時期を容易に確認することができる。
【００２１】
図３は衝撃吸収部材１０の平面図であり、図３に示すように、衝撃吸収部材１０は、ゴム紐１１を備えている。また、装着者の内腿に対応する位置の腿帯４，５の部分（図１の内腿部１３）も、肩部９と同様に蛇腹形状の衝撃吸収部材１０が用いられている。この衝撃吸収部材１０にもゴム紐１１が用いられている。
【００２２】
本実施形態の安全帯１によれば、肩部９や内腿部１３を蛇腹形状の衝撃吸収部材１０で構成しているため、肩帯２，３及び腿帯４，５のうち宙吊り時に比較的衝撃を受け易い部分である肩部９及び内腿部１３が延びる為、装着者への衝撃を緩和することができる。
【００２３】
なお、本発明の安全帯においては、全ての帯を衝撃吸収部材１０としてもよい。また、本発明の衝撃吸収部材は、一部分が破断することによって、帯の実質的な長さが延びるような構造のものも含まれる。
【００２４】
例えば、図４及び図５に第２実施形態として示すように、衝撃吸収部材１０は、２枚の布部材１４に糸１５を織り込んだものとすることもできる。糸１５は、安全帯１を装着した装着者が落下したときの衝撃によって寸断されるように構成されている。第２実施形態の衝撃吸収部材１０によれば、落下時の衝撃によって、衝撃吸収部材１０が延びて装着者への衝撃を緩和することができる。
【００２５】
また、衝撃吸収部材１０が延びるときに糸１５が破断し、図５に示すように、２枚の布部材１４が開く。これにより、安全帯１の交換時期を明確とすることができる。
【００２６】
また、図６に第３実施形態として示すように、衝撃吸収部材１０は必ずしも蛇腹形状としなくてもよい。第３実施形態の衝撃吸収部材１０は伸縮自在な材料で構成されており、これによっても、本発明の宙吊り時の衝撃を抑制するという作用効果を得ることができる。
【００２７】
また、衝撃吸収部材１０としてゴム紐を備えるものを説明したが、本発明の衝撃吸収部材はこれに限らず、衝撃吸収部材１０の全体が弾性材で形成されていてもよく、または、弾性材を用いることなく蛇腹形状によってのみ伸縮するように構成してもよい。
【００２８】
また、実施形態においては、肩帯２，３及び腿帯４，５の両方に衝撃吸収部材１０が設けられた安全帯１を説明したが、本発明の安全帯は、これに限らず、肩帯又は腿帯の少なくとも一部分が衝撃吸収部材で構成されていればよい。
【符号の説明】
【００２９】
１  安全帯
２  右肩帯
３  左肩帯
４  左腿帯
５  右腿帯
６  腰帯
７  下方分岐部材
８  上方分岐部材
９  肩部
１０  衝撃吸収部材
１１  ゴム紐
１３  内腿部
１４  布部材
１５  糸
【図１】
2017131405.tif 000003
【図２】
2017131405.tif 000004
【図３】
2017131405.tif 000005
【図４】
2017131405.tif 000006
【図５】
2017131405.tif 000007
【図６】
2017131405.tif 000008